(57)【特許請求の範囲】
【請求項１】
容器本体（２）の上部口部（３）にキャップ（４）が取り付けられた包装容器であって、前記キャップ（４）は、容器本体（２）の前記上部口部（３）に被せ付けられて天板部（８）に取り出し口（１３）を有するキャップ本体（６）と、前記キャップ本体（６）にヒンジ（７）を介して連結されて前記天板部（８）を開閉可能に覆う蓋体（９）とからなり、蓋体（９）を開いて取り出し口（１３）が下方に向くように容器本体（２）を傾ける収容物排出時に容器本体（２）に収容の収容物が取り出し口（１３）を通過して排出可能とされている包装容器において、
前記取り出し口（１３）に、該取り出し口（１３）におけるキャップ本体（６）の中心側にして収容物戻し口（１６）が連続して開口していて、かつ、前記取り出し口（１３）には、前記収容物排出時にこの取り出し口（１３）を通過する収容物の通過部（１５）を狭める邪魔板（１４，２０）が設けられ、この取り出し口（１３）に連続する前記収容物戻し口（１６）は、該収容物戻し口（１６）の開口面が容器本体（２）の底部側に向けて傾斜し、収容物戻し口（１６）の開口幅が、取り出し口（１３）の開口幅より幅広とされ、
前記邪魔板（１４，２０）は、キャップ本体（６）の径方向における外周側とキャップ本体（６）の中心側との複数個所に互いに不連続にして設けられていて、キャップ本体（６）の外周側に設けられた邪魔板（１４）は、キャップ本体（６）の径方向に直交する方向に隙間を介して対向する対にして配置されており、キャップ本体（６）の外周側の前記対の邪魔板（１４）の間に、前記通過部（１５）が設けられ、
前記邪魔板（１４）に対して、この邪魔板（１４）に不連続であるキャップ本体の中心側の前記邪魔板（２０）がキャップ本体（６）の高さ方向においての下位置に配置されて、前記邪魔板（１４）が前記邪魔板（２０）に向けて傾斜し、前記邪魔板（２０）がキャップ本体（６）の径方向での外方に向けて下り傾斜しており、
前記邪魔板（１４）の下部とこの邪魔板（１４）に不連続である前記邪魔板（２０）の下部との間に、前記収容物戻し口（１６）が設けられていることを特徴とする包装容器。
【請求項２】
上記蓋体（９）は、該蓋体（９）の下面に蓋閉時にキャップ本体（６）の天板部（８）に接する環状の蓋体シールリング（１０）が設けられ、キャップ本体（６）の前記天板部（８）における蓋体シールリング（１０）に対応する領域内に上記取り出し口（１３）と収容物戻し口（１６）とが設けられている請求項１に記載の包装容器。
【請求項３】
上記キャップ本体（６）の天板部（８）の周辺に亘って、キャップ本体（６）の外周壁（２６）とこの外周壁（２６）の内側で天板部（８）から下垂して可撓性を有するキャップシールリング（２７）とからなる嵌め込み溝部（２５）が設けられ、上記容器本体（２）の上部口部（３）の周壁は縦断面形状が波形に形成されていて、前記嵌め込み溝部（２５）に嵌め入れた容器本体（２）の上部口部（３）の前記周壁の内周面に、前記キャップシールリング（２７）が撓み変形可能にして当接する請求項１または２に記載の包装容器。
【請求項４】
上記キャップ本体（６）の天板部（８）に、上記取り出し口（１３）と収容物戻し口（１６）とに非重複となる位置に、容器本体（２）側に凸とされた有底の計量具用収容凹部（２３）が設けられていて、前記計量具用収容凹部（２３）に計量具（２４）が取り外し可能に配置される請求項１から３の何れか一項に記載の包装容器。
【発明の詳細な説明】
【技術分野】
【０００１】
本発明は、粉体物や顆粒物などの収容物を収容した包装容器であり、容器を傾けて収容物を制限しながら排出して計量具で計量し易くした包装容器に関するものである。
【背景技術】
【０００２】
従来から薬や栄養剤などを粉体や顆粒状などの形態にして、これを缶容器や合成樹脂製容器を用いた包装容器に収容した商品が多く販売されている。そして収容物の一回当たりの服用量や摂取の分量を定めている商品では、計量スプーンなどの計量具を包装容器に付属している。
【０００３】
また、粉体物や顆粒物を収容する包装容器では、商品の使用期間中でも外部環境の湿気が容器内に入り難くして収容物を保護する工夫が施されている。例えば特許文献１に示されている粉薬用容器にあっては、容器本体の上部口部に被せ付ける中蓋の外周のフランジを、その容器本体の上部口部の上に乗せていて、外蓋と容器本体の上部口部とで中蓋の前記フランジを挟み込むようにしており、施蓋によって密封性を確保するようにしている。
【０００４】
さらに、特許文献１の粉薬用容器では、計量スプーンですくい取った収容物を掻き落とし手段にて摺り切りして計量し、余剰の粉薬は自動的に容器本体に掻き落とされるようにしていて、その工夫が上記中蓋に施されている。
【先行技術文献】
【特許文献】
【０００５】
【特許文献１】実開平０７−００７６４３号公報
【発明の概要】
【発明が解決しようとする課題】
【０００６】
上記特許文献１に示されている粉薬用容器では、容器本体と中蓋と外蓋とで包装容器が構成され、これに計量用のスプーンが付属していて、全体として部品の点数が多い。また服用に際しては、外蓋を取り外して机の上などに置いてから計量スプーンで粉薬をすくう作業を行なうが、服用ごとに前記作業を繰り返して行なうために外蓋と計量スプーンとが散逸し易いという不具合がある。さらに計量スプーン自体を容器内に落下させてしまう可能性もある。
【０００７】
そこで粉薬などの粉体物や顆粒物を収容する包装容器として、広口タイプの容器本体とこの容器本体の上部口部に取り付けるキャップとからなるものとし、キャップについては、容器本体の上部口部に被せ付けるキャップ本体にヒンジを介して蓋体を連結したヒンジキャップ形式を採用することが検討できる。そして、計量具についてもカップにしてキャップ本体にセットする箇所を設けるようにすれば、その計量具の不使用時に紛失させずに衛生的に保管できる。
【０００８】
ところで、蓋体を開いた包装容器を傾けながらキャップ本体の天板部に開口した取り出し口を通して粉状物や顆粒物である収容物を排出すると、一度に多くの収容物が排出され易い。そしてこれを受けるカップタイプの計量具に、一回の計量より多くの収容物が入ってしまう不具合が生じ易い。
【０００９】
この不具合を生じ難くするには取り出し口を小さくすれば良いが、収容物が薬である場合、服用する者にその服用量を守らせるためには、計量具に大目に入ってしまった薬を容器側に戻す部分を開口させておくことが必要となり、戻し口の役割を果たす取り出し口が大きくなってしまう。
【００１０】
加えて、このように取り出し口が大きく開口した状態のものである場合、蓋体の閉時にその取り出し口の周りで密封性を確保することが困難になるという不具合が出てくる。
【００１１】
そこで本発明は上記事情に鑑み、収容物を付属の計量具で計量し易いように排出できるようにするとともに、余計に排出された収容物を戻す部分も確保し、なおかつ湿気が容器本体側に入り込み難くすることを課題とし、収容物の排出と戻しとが簡単に行なえる粉体物や顆粒物の収容に適した包装容器を提供することを目的とするものである。
【課題を解決するための手段】
【００１２】
（請求項１の発明）
本発明は上記課題を考慮してなされたもので、容器本体（２）の上部口部（３）にキャップ（４）が取り付けられた包装容器であって、前記キャップ（４）は、容器本体（２）の前記上部口部（３）に被せ付けられて天板部（８）に取り出し口（１３）を有するキャップ本体（６）と、前記キャップ本体（６）にヒンジ（７）を介して連結されて前記天板部（８）を開閉可能に覆う蓋体（９）とからなり、蓋体（９）を開いて取り出し口（１３）が下方に向くように容器本体（２）を傾ける収容物排出時に容器本体（２）に収容の収容物が取り出し口（１３）を通過して排出可能とされている包装容器において、
前記取り出し口（１３）に、該取り出し口（１３）におけるキャップ本体（６）の中心側にして収容物戻し口（１６）が連続して開口していて、かつ、前記取り出し口（１３）には、前記収容物排出時にこの取り出し口（１３）を通過する収容物の通過部（１５）を狭める邪魔板（１４，２０）が設けられ、この取り出し口（１３）に連続する前記収容物戻し口（１６）は、該収容物戻し口（１６）の開口面が容器本体（２）の底部側に向けて傾斜し、収容物戻し口（１６）の開口幅が、取り出し口（１３）の開口幅より幅広とされ、
前記邪魔板（１４，２０）は、キャップ本体（６）の径方向における外周側とキャップ本体（６）の中心側との複数個所に互いに不連続にして設けられていて、キャップ本体（６）の外周側に設けられた邪魔板（１４）は、キャップ本体（６）の径方向に直交する方向に隙間を介して対向する対にして配置されており、キャップ本体（６）の外周側の前記対の邪魔板（１４）の間に、前記通過部（１５）が設けられ、
前記邪魔板（１４）に対して、この邪魔板（１４）に不連続であるキャップ本体の中心側の前記邪魔板（２０）がキャップ本体（６）の高さ方向においての下位置に配置されて、前記邪魔板（１４）が前記邪魔板（２０）に向けて傾斜し、前記邪魔板（２０）がキャップ本体（６）の径方向での外方に向けて下り傾斜しており、
前記邪魔板（１４）の下部とこの邪魔板（１４）に不連続である前記邪魔板（２０）の下部との間に、前記収容物戻し口（１６）が設けられていることを特徴とする包装容器を提供して、上記課題を解消するものである。
【００１５】
（請求項２の発明）
また、本発明において、上記蓋体は、該蓋体の下面に蓋閉時にキャップ本体の天板部に接する環状の蓋体シールリングが設けられ、キャップ本体の前記天板部における蓋体シールリングに対応する領域内に上記取り出し口と収容物戻し口とが設けられていることが良好である。
【００１６】
（請求項３の発明）
また、本発明において、上記キャップ本体の天板部の周辺に亘って、キャップ本体の外周壁とこの外周壁の内側で天板部から下垂して可撓性を有するキャップシールリングとからなる嵌め込み溝部が設けられ、上記容器本体の上部口部の周壁は縦断面形状が波形に形成されていて、前記嵌め込み溝部に嵌め入れた容器本体の上部口部の前記周壁の内周面に、前記キャップシールリングが撓み変形可能にして当接することが良好である。
【００１７】
（請求項４の発明）
また、本発明において、上記キャップ本体の天板部に、上記取り出し口と収容物戻し口とに非重複となる位置に、容器本体側に凸とされた有底の計量具用収容凹部が設けられていて、前記計量具用収容凹部に計量具が取り外し可能に配置されることが良好である。
【発明の効果】
【００１８】
（請求項１の発明の効果）
請求項１の発明によれば、取り出し口に邪魔板を設けて収容物の通過部が狭められているので、容器を傾けて収容物を排出するときには一度に多くの収容物が排出されず、計量具に過剰に収容物を受けることがなくなる。また、取り出し口に連続する収容物戻し口の開口面が、容器本体の底部側に向けて傾斜しているので、容器を傾けて収容物を排出するときにもこの収容物戻し口から収容物が計量具側に排出される度合が極めて少なくなり、この点からも過剰に収容物が計量具に排出されることを抑止できる。
【００１９】
そして、取り出し口と収容物戻し口とが連続して開口しているので、天板部に開口されている部分が一つにまとまり、蓋体を閉じたときに天板部で開口されている部分の周囲に接して密封性を高めることが容易になる。また、取り出し口と収容物戻し口とがまとまることで、天板部に計量具用の収容部部分を形成するスペースを確保することが容易になる。
【００２０】
また、収容物の量を規制しながら排出する構造が簡単なものとなり、キャップの製造コストを引き上げることがないという効果がある。
【００２１】
さらに、収容物を戻すときに、キャップ本体の中心側の邪魔板に向けて収容物を落とすようにすれば、そのキャップ本体の中心側の邪魔板によって収容物が収容物戻し口に案内されるようになる。よって、収容物を戻すに際して収容物戻し口の位置を見定めながら行なう必要がなく、収容物を容器に戻す作業が頗る簡単になる。
【００２２】
（請求項２の発明の効果）
請求項２の発明によれば、蓋体を閉じることにより、取り出し口と収容物戻し口との両方に対する外部からの湿気の入り込みを防止し易くなる。
【００２３】
（請求項３の発明の効果）
上記容器本体を合成樹脂材によりブロー成形することで、この容器本体に係る製造コストを低減することができ、広口の容器本体をブロー成形するには袋吹き式のブロー成形が適するようになる。このようなブロー成形の場合、成形品の外面形状については設定通りに成形されるが、成形品の内面形状については設定通りに成形することが困難である。
【００２４】
そこで、請求項３の発明によれば、キャップ本体のキャップシールリングが、容器本体の上部口部の周壁の内周面に撓み変形可能に当接するので、容器本体の上部口部の周壁の内周面の形状が設定に対する誤差が大きく成形されていても、キャップと容器本体の上部口部との間から外部の湿気が入り込むのを防止することができる。
【００２５】
（請求項４の発明の効果）
請求項４の発明によれば、計量具の紛失を防止することができ、この計量具を衛生的に保管することができる。
【図面の簡単な説明】
【００２６】
【図１】本発明に係る包装容器の一例を斜視の状態で示す説明図である。
【図２】一例におけるキャップとこのキャップが取り付けられた容器本体とを断面で示す説明図である。
【図３】開いた状態のキャップを示すもので、（イ）は上方から見た状態で示す説明図、（ロ）は側方から見た断面を示す説明図である。
【図４】キャップにおける取り出し口と邪魔板とを斜め上方から見た状態で示す説明図である。
【図５】開いた状態のキャップを示すもので、（イ）は側方から見た状態で示す説明図、（ロ）は下方から見た状態を示す説明図である。
【発明を実施するための形態】
【００２７】
つぎに本発明を図１から図５に示す実施の形態に基づいて詳細に説明する。図中１は包装容器で、該包装容器１は収容物として粉体物や顆粒物などを収容する広口の容器本体２と、この容器本体２の広口とされた上部口部３に取り付けられたキャップ４とからなるものである。
【００２８】
（容器本体）
容器本体２はブロー成形された容器であり、広口タイプの容器を成形するに適した袋吹き式のブロー成形によるものである。この実施の例における容器本体２を袋吹き式のブロー成形によるものとしていて、上部口部３の上端面は成形後に余剰部分を切り落として形成される切断面であり、上記キャップ４とこの上部口部３の上端面との間で密封性を確保し難い。そこで容器本体２の上部口部３の周壁５の縦断面形状を波形状にして後述する密封性が確保し易くなるようにしているものである。（図２参照）
【００２９】
（キャップ）
キャップ４は合成樹脂材を用いて成形されていて、例えば射出成形によるものである。図２に示されているようにキャップ４は容器本体２の上記上部口部３に被せ付けられたキャップ本体６と、このキャップ本体６にヒンジ７を介して連結されてキャップ本体６の天板部８を開閉可能に覆う蓋体９とからなるものである。
【００３０】
図３に示すように蓋体９の下面（蓋閉時に下方となる面）にはヒンジ７とは反対側に位置して蓋体シールリング１０が設けられている。この蓋体シールリング１０は下垂した環状の壁体であり、蓋閉時にはキャップ本体６の天板部８に接し、天板部８における前記蓋体シールリング１０が接して囲まれた領域の内側に外部から湿気が入らないように図られている。
【００３１】
キャップ本体６の天板部８には、ヒンジ７の反対側であって蓋体９の蓋閉時に上記蓋体シールリング１０が内側に嵌り込むように接する環状の突堤１１が設けられており、この環状の突堤１１に嵌り込む蓋体シールリング１０に囲まれる領域に対応した箇所がキャップ高さ方向での下方に凸の凹陥部分１２とされている。
【００３２】
（取り出し口）
下方に凸の凹陥部分１２に、収容物を排出するための取り出し口１３がこの凹陥部分１２での上記ヒンジ側とは反対側に配置されており、蓋体９を開いて取り出し口１３が下方に向くように容器本体２（包装容器全体）を傾けることで、収容物が取り出し口１３を通過して排出できるようにしている。
【００３３】
取り出し口１３には、図４に示すようにキャップ本体６の径方向での外周側であってこの径方向に直交する方向に間隙を介して対向する一対の邪魔板１４が設けられている。図３（ロ）に示すようにこの邪魔板１４はキャップ本体６の外方となる側からキャップ本体６の中心側に向けて断面弧状にして下り傾斜しており、一対の邪魔板１４が張り出すことで、取り出し口１３はこの邪魔板１４の間においての開口面が弧状にしてキャップ本体６の中心側に向けて下り傾斜している。
【００３４】
上記取り出し口１３において一対の邪魔板１４が張り出している部分では、本包装容器１を傾けて容器本体２の内部から収容物が取り出し口１３を通って外部に排出するときの通過部１５が狭められて形成されることとなり、収容物の排出時に一度に多くの収容物が排出されないようにしている。（図４参照）
【００３５】
（収容物戻し口）
図４に示されているように本実施の形態においては突堤１１で囲まれた部分であって、上記蓋体シールリング１０に囲まれた領域に対応する部分に収容物戻し口１６も設けられている。この収容物戻し口１６は、服用量や摂取量に対して余剰に排出された収容物を容器本体２の内部に戻すための部分であり、上記取り出し口１６に連続した状態で上記凹陥部分１２の内部に位置するように設けられている。
【００３６】
図３の断面で示されているように、収容物戻し口１６は取り出し口１３におけるキャップ本体６の中心側に連続して開口している。そして、収容物戻し口１６の開口面１７が容器本体２の底部側に向けて傾斜しており、本包装容器１を傾けて収容物を排出するときに、容器本体２の内部から凹陥部分１２の下面に移動した収容物が、前記収容物戻し口１６から外部に排出される度合が極めて少なくなるようにしている。
【００３７】
収容物戻し口１６の開口幅（キャップ本体６の径方向に直交する方向に沿った方向での開口幅）１９は、取り出し口１３の開口幅１８より幅広とされており、収容物を容器本体に戻すときにはその収容物は収容物戻し口１６をスムーズに通過することとなる。
【００３８】
（下位の邪魔板）
また上記凹陥部分１２には図示されているようにキャップ本体６の中心側にも一つの邪魔板２０が設けられている。このキャップ本体６の中心側の邪魔板２０は、キャップ本体６の外周側の上記一対の邪魔板１４に対して、キャップ本体６の高さ方向での下位に位置され、図２〜図４に示すようにこの邪魔板１４に不連続とされている。そして、一対の邪魔板１４の下位位置に、前述のようにこの邪魔板１４に不連続とされている前記邪魔板２０が配置されているとともに、この一対の邪魔板１４がキャップ本体６の中心側に向けて断面弧状にして下り傾斜していて、該一対の邪魔板１４は前記邪魔板２０に向けて傾斜したものとなっている。
【００３９】
さらに上記邪魔板１４に不連続とされている邪魔板２０は、キャップ本体６の径方向での外方に向けて下り傾斜しており、上記一対の邪魔板１４の下部２１と前記邪魔板２０の下端となる下部２２との間に上記収容物戻し口１６が設けられている。上述したように一対の邪魔板１４と一つの邪魔板２０とが上下の配置とされ、一対の邪魔板１４が下位の邪魔板２０に向けて傾斜し、下位の邪魔板２０が下方に向けて下り傾斜していることから、収容物を容器本体２側に戻す際に、収容物戻し口１６を狙わずに凹陥部分１２に落とし込みさえすればよい。
【００４０】
即ち、収容物が凹陥部分１２に収容物が落とされれば、その収容物は取り出し口１３に入るものはそのまま容器本体２の内部に落ちるようになり、邪魔板１４の上に落とされた収容物はその邪魔板１４により邪魔板２０に向けて案内されて、邪魔板２０の上へと落ちる。そして前記邪魔板２０の上に落とされた収容物は、この邪魔板２０によって収容物戻し口１６に向けて案内され、収容物戻し口１６を通って容器本体２の内部へ落ちるようになり、一旦外部に排出された収容物を容器本体２に戻すことが簡単に行なえる。
【００４１】
（計量具）
本包装容器１にあっては、キャップ本体６の天板部８に、この天板部８おける凹陥部分１２に重複しない領域にして下方に凸にして凹陥してなる計量具用収容凹部２３が設けられている。そして計量具用収容凹部２３に計量具２４が取り外し可能にして配置されている。計量具用収容凹部２３に配置された計量具２４は蓋体９を閉じることによって閉じた空間に配置された状態となり、計量具２４の紛失を防止し、外部からの汚れに対しても保護される。（図５参照）
【００４２】
（嵌め込み溝部と上部口部）
この実施の例の広口タイプの容器本体２は上述したように袋吹き式のブロー成形で成形されたものであり、容器本体２の内面の形状が設定通り形成され難いことから、本実施の形態では、容器本体２の上部口部３とこの上部口部３に被せ付けたキャップ本体６との間から外部の湿気が入り込まないように以下のように工夫が施されている。
【００４３】
図２に示したように、キャップ本体６の天板部８の周辺に亘って、キャップ本体６の高さ方向下方に向いた下面を嵌め入れ口としている嵌め込み溝部２５が設けられていて、この嵌め込み溝部２５は、キャップ本体６の外周壁２６とこの外周壁２６の内側で天板部８から下垂して可撓性を有するキャップシールリング２７とからなるものであり、外周壁２６とキャップシールリング２７との間に容器本体２の上部口部３が嵌め入れている。
【００４４】
容器本体２の上部口部３の周壁５の基端側には、周方向に亘って係止突堤が形成されていて、この係止突堤にキャップ本体６の外周壁２６の内側下端に位置する係止突部２８が係止していて、容器本体２からキャップ４が不用意には外れないようにしている。
【００４５】
上記上部口部３の周壁５は、縦断面形状を波形とした波形状部３０が上記係止突堤２９の上位の位置にして設けられて、上部口部３における径方向での外方に凸となる外突条部３１が外周壁２６の内周面に当接している。さらに波形形状部３０は上部口部３における径方向での内方に凸となる内突条部３２を有している。
【００４６】
そして上記嵌め込み溝部２５では、この嵌め込み溝部２５に上部口部３が嵌め込まれていることで、キャップシールリング２７が弾性的に撓んだ状態で内突条部３２に当接している。仮に、内突条部３２の形状が設定通りに成形されず、この内突条部３２の位置が上部口部３の周方向で誤差が生じているような場合でも、可撓性を有するキャップシールリング２７が撓んだ状態で内突条部３２に当接する。
【００４７】
以上のように上部口部３と嵌め込み溝部２５の外周壁２６とが上部口部３の周方向に亘って当接し合っており、またキャップシールリング２７と上部口部３とが上部口部３の周方向に亘って当接し合っていることから、容器本体２とキャップ４との間に外部の湿気が侵入するのを防止する。
【符号の説明】
【００４８】
１…包装容器
２…容器本体
３…上部口部
４…キャップ
５…周壁
６…キャップ本体
８…天板部
９…蓋体
１０…蓋体シールリング
１３…取り出し口
１４…邪魔板
１５…通過部
１６…収容物戻し口
１７…収容物戻し口の開口面
１８…収容物戻し口の開口幅
１９…取り出し口の開口幅
２０…邪魔板
２４…計量具
２５…嵌め込み溝部
２６…外周壁
２７…キャップシールリング
３０…波形状部
３１…外突条部
３２…内突条部
【図１】
0006657966.tif 000002
【図２】
0006657966.tif 000003
【図３】
0006657966.tif 000004
【図４】
0006657966.tif 000005
【図５】
0006657966.tif 000006